(57)【要約】      （修正有）【課題】ピースの種類と模様パターンの種類を少な目に抑えるとともに、使用するピース数を少なくても模様パターンの組合せで形成できる模様、図柄等の数も多く、しかも、膝の上や机の上などの狭い場所で遊ぶのに適した組合せパズルおもちゃを提供する。【解決手段】表面と裏面に異なる模様パターンを表示した複数枚の正方形の板状ピースと、ピースの少なくとも１６枚を正方形状に並べて置くことができるように形成した平面矩形状の立壁部７ｂを有するトレイ７と、トレイ７の立壁部７ｂ内に装着する平板状の枠であってピースの少なくとも４枚または９枚を正方形状に並べて置くための正方形の穴１０ａを形成した枠１０とから成り、各ピースの表示された模様パターンが連続して一定の模様等を形成するように、各ピースとそれらの表裏を選択してトレイ７の立壁部７ｂ内、又は、枠１０の正方形の穴１０ａ内に並べて遊ぶこと。【選択図】図７
0003194271.tif 000002
【実用新案登録請求の範囲】
【請求項１】
表面と裏面に異なる模様パターンを表示した複数の正方形の板状ピースと、前記ピースの少なくとも１６枚を正方形状に並べて置くことができるように形成した平面矩形状の立壁を有するトレイと、前記トレイの立壁内に装着する平板状の枠であって前記ピースの少なくとも４枚または９枚を正方形状に並べて置くための正方形の穴を形成した枠とから成り、前記各ピースに表示された模様パターンが連続して完成模様等を形成するように、前記各ピースとそれらの表裏を選択して前記トレイの立壁内、又は、前記枠の正方形の穴内に並べて遊ぶことを特徴とする組合せパズルおもちゃ。
【請求項２】
トレイの底を透明体で形成し、その底の下面側に、前記ピースを並べて形成される模様や絵柄等を表示したモデル板を着脱できるようにした請求項１に記載の組合せパズルおもちゃ。
【請求項３】
透明な底を有する前記トレイにおいては、透明な底の下側に、該底との間に隙間を形成できる第２トレイを積層して設け、第２トレイと前記トレイの透明底の隙間に前記モデル板を挿脱させるようにした請求項２に記載の組合せパズルおもちゃ。
【請求項４】
トレイの立壁内に装着する枠に取手を設けた請求項１に記載の組合せパズルおもちゃ。
【請求項５】
トレイの周上の各立壁には枠の取手を収める凹部を設けた請求項４に記載の組合せパズルおもちゃ。
【請求項６】
透明な底を備えたトレイと第２トレイの結合は、一方のトレイに設けたピンを他方のトレイに設けたピン穴に圧入して結合した請求項３に記載の組合せパズルおもちゃ。
【考案の詳細な説明】
【技術分野】
【０００１】
本考案は複数個の同一矩形ピースの表裏に描かれた複数種類の模様の要素（以下、模様パターンという）を組合せて適宜の完成模様などを作って遊ぶ組み合わせパズルおもちゃに関する。
【背景技術】
【０００２】
表面と裏面に適宜の模様パターンを表示した複数枚の正方形の板状ピースの前記模様パターンを組合せ、組合せた前記パターンによって様々な模様や図柄、文字などを表現できるようにした組合せパズルおもちゃは、特許文献１〜４などにより公知である。
【０００３】
しかし、上記組合せパズルおもちゃは、平面上に前記ピースを互の一辺が密着する形で並べて各ピースの模様パターンの組合せによって形成される模様や図柄等の組立てを行っているため使用するピースの数に制約はないが、使用ピース数に制限がないために限られたピース数で目的とする模様や図柄等を限られた数の模様パターンの組合せによって作成するというパズルとしての面白味を感じにくい面があった。
【先行技術文献】
【特許文献】
【０００４】
【特許文献１】意匠登録第４６９３０２号公報
【特許文献２】意匠登録第４６９３０３号公報
【特許文献３】意匠登録第４６９３０４号公報
【特許文献４】登録実用新案第３０３３０２５号公報
【考案の概要】
【考案が解決しようとする課題】
【０００５】
そこで本考案では、ピースの種類と模様パターンの種類を少な目に抑えるとともに、使用するピース数を少なくても前記模様パターンの組合せで形成できる模様、図柄等の数も多く、しかも、膝の上や机の上などの狭い場所で遊ぶのに適した模様パターンを組合せて遊ぶパズルおもちゃを提供することを課題とする。
【課題を解決するための手段】
【０００６】
上記課題を解決することを目的としてなされた本考案パズルおもちゃの構想は、表面と裏面に異なる模様パターンを表示した複数枚の正方形の板状ピースと、前記ピースの少なくとも１６枚を正方形状に並べて置くことができるように形成した平面矩形状の立壁を有するトレイと、前記トレイの立壁内に装着する平板状の枠であって前記ピースの少なくとも４枚または９枚を正方形状に並べて置くための正方形の穴を形成した枠とから成り、前記各ピースの表示された模様パターンが連続して一定の模様等を形成するように、前記各ピースとそれらの表裏を選択して前記トレイの立壁内、又は、前記枠の正方形の穴内に並べて遊ぶことを特徴とするものである。
【０００７】
本考案パズルに用いるピースは、一例として一辺３０ｍｍ、厚さ１０ｍｍの正方形の板（木製，プラスチック製など）の表面と裏面に、この例では図１に示すように、３種類のピースの表面と裏面に、６種類の模様パターンを表示した３種類のピースを、各ピースごとに例えば３０枚、従って合計９０枚のピースで構成されるものであるが、ピースの種類数と模様パターンの種類数は、上記は一例であるから、本考案は上記例の数に限られるものではない。
【０００８】
各ピースの表面と裏面に表示される模様パターンは、一例として、第１ピースでは表面がピースを対角線で仕切った直角三角形、裏面がピース全体と同形の正方形、第２ピースでは表面がピース一辺の１／２幅の円弧状帯、裏面は同じく一辺の１／２幅のＬ状帯、第３ピースでは、表面が隅角を挟む２辺に、一辺の１／２半径の２つの１／２円、裏面が隅角を中心とする一辺と同じ半径の１つの１／４円が表示されている。模様パターンの表示形態は、印刷、シール貼付、彫刻などの模様パターンが視認できる適宜手法でよい。
【０００９】
本考案パズルにおいては、前記トレイの底を透明体で形成し、その底の下面側に、前記ピースを並べて形成される完成模様や絵柄等を表示した模様等のモデル板を着脱できるようにする。
このように形成したモデル板を使うと、モデル板に表示された模様等の形成を目標にして前記ピースを選択して並べることができるから、本考案パズルのいわば入門者や初心者に好適である。
【００１０】
透明な底を有する前記トレイにおいては、透明な底の下側に、該底との間に隙間を形成できる第２トレイを積層して設け、第２トレイと前記トレイの透明底の隙間に、前記モデル板を挿脱させるようにしてもよい。第２トレイの底は、モデル板を挿脱する部位において、当該第２トレイの底が外部へ舌片状に突出する形態の案内部をガイドとして備えるものが望ましい。
第２トレイをこのような構成にすると、モデル板をセットするための操作や位置決めが迅速かつ正確にできる。
【００１１】
また、透明な底を有する前記トレイの立壁内に装着する枠は、その枠を前記立壁内に着脱するときに掴む取手を、その枠の外周上に形成することが望ましい。前記枠に取手を設けた場合には、トレイの四周の立壁には、前記取手を嵌入できる凹部を設けるとよい。このようにすると枠のトレイに対する着脱に方向性がないので取扱いの上で便利である。
【考案の効果】
【００１２】
本考案パズルは、複数枚の正方形の板状ピースであって、表面と裏面に異なる模様パターンを表示したピースと、前記ピースの少なくとも１６枚を正方形状に並べて置くことができるように形成した平面矩形状の立壁を有するトレイと、前記トレイの立壁内に装着する平板状の枠であって前記ピースの少なくとも４枚または９枚を正方形状に並べて置くための正方形の穴を形成した枠とから組立てパズルおもちゃを構成したから、前記各ピースの表裏に表示された模様パターンを選択しつつ、前記トレイの立壁内、又は、前記立壁に装着される枠の正方形の穴に、選択した前記ピースを入れて所定の完成模様等を形成することをゲーム形式で楽しむことができる。特に、図形に関する基本的知識や図形の成立感覚等を本考案ゲームで遊びながら養うことができ、またゲーム中にピースを枠の穴に嵌めたりピースを表裏などに回転させたりすることにより指先の器用さを養い、また、これらの操作や感覚を通して集中力や作業力を養うことなどが期待できる。
【図面の簡単な説明】
【００１３】
【図１】本考案パズルで使用するピースの一例の平面図で、（ａ）は第１ピースａの表面Ｐ１と裏面Ｐ２、（ｂ）は第２ピースｂの表面Ｐ３と裏面Ｐ４、（ｃ）は第３ピースｃの表面Ｐ５と裏面Ｐ６、のそれぞれ平面図。
【図２】本考案パズルに用いるトレーの組立時の斜視図。
【図３】図２のトレーの組立状態の斜視図。
【図４】本考案パズルで用いる枠の一例にピースを入れた状態の平面図。
【図５】本考案パズルで用いる枠の別例にピースを入れた状態の平面図。
【図６】本考案パズルで用いるモデル板の３例を示した平面図。
【図７】本考案パズルの使用状態の第一例の斜視図。
【図８】本考案パズルの使用状態の第二例の斜視図。
【図９】本考案パズルの使用状態の第三例の斜視図。
【考案を実施するための形態】
【００１４】
次に本考案組立てパズルの実施の形態例について説明する。
図１において、ａ，ｂ，ｃは本考案パズルで用いる３種類のピースで、各ピースａ〜ｃは、第１ピース〜第３ピースとして夫々の表裏に次の模様パターンが表示されている。すなわち、第１ピースａの表面（表側ともいう）Ｐ１には、正方形の該ピースａの対角線と該ピースａの２辺で囲まれた直角三角形の模様パターン１が表示され、該ピースａの裏面Ｐ２には、当該ピースａの全体による正方形の模様パターン２が表示されている。
【００１５】
第２ピースｂの表面Ｐ３には、該ピースｂの一片の１／２長の幅の円弧状の模様パターン３が表示され、裏面Ｐ４には、同じく一辺の１／２長の幅で略Ｌ字状の模様パターン４が表示されている。
【００１６】
第３ピースｃの表面Ｐ５には、該ピースｃの一辺を直径とする１／２円が隅角を挟む２辺に夫々描かれた形の略ハート形の模様パターン５が表示され、裏面Ｐ６にはこのピースｃの一辺を半径とする１／４円が模様パターン６が表示されている。
【００１７】
実施例における上記各ピースａ〜ｃは、一例として各ピースを３０個ずつ用意して全９０個のピースａ〜ｃによって遊ぶようにしているが、各ピースａ〜ｃの種類数や各ピースごとの使用個数は、上記例は一例であって本考案が上記数値に限られるものでないことは勿論である。
【００１８】
上記ピースａ〜ｃを並べるトレイ７は、一例として図２、図３に例示する構造を備えたものである。
即ち、トレイ７は、正方形の底７ａとその底７ａの外周上に立てた壁、つまり立壁７ｂを主要部として形成され、ここでは底７ａは透明板により形成している。トレイ７の平面から見た大きさは、各ピースａ〜ｃを１６枚並べて収容できる大きさである。
８は第二トレイで、上記トレイ７と同形状，同形態である。即ち、底８ａと立壁８ｂを備えているが、底８ａは透明ではない。しかし、底８ａは、その一側端の側が短い舌片状の突出部８ｃに形成され、後述するモデル板９を出入れするためのガイド（案内部）として作用する。
【００１９】
上記２つのトレイ７，８は、夫々の四隅の外側に形成した連結部７ｃ，８ｄにおいて、圧入突起７ｄの穴８ｅへの嵌合や、連結部７ｃ，８ｄのネジ止め、或は、接着などにより積層されて２つの底７ａ，８ａの間に形成される隙間に、モデル板９が挿入，抜去されるようになっている。
【００２０】
モデル板９は、その例として図６に例示するように、第１ピースａの表面Ｐ１のパターンを４個使用したパターンモデル９ａ、第３ピースｃの表面Ｐ５のパターンを９個使用したパターンモデル９ｂ、第１ピースａの表面Ｐ１のパターンを１６個使用したパターンモデル９ｃがある。勿論、図６に示したパターンモデル９ａ〜９ｃ以外のパターンモデルによるモデル板９が予め作成されていることは勿論である。
【００２１】
本考案パズルでは、トレイ７の立壁７ｂの中にピースａ〜ｃの１６枚の模様パターンを適宜に選択して並べてゲームを行うことができるが、初心者や年端の行かない幼児などでは、いきなり１６枚のピースを使用したゲームは困難である。
【００２２】
そこで本考案では、使用ピース数を限定するために、一例としてトレイ７に装着する枠１０と枠１１を用いるようにした（図７〜図９参照）。
すなわち、枠１０は、外形がトレイ７の四角い立壁７ｂの中にぴったり収まると共に、中央部に、ピースａ〜ｃの４個が正方形を呈するように収まる正方形の穴１０ａを設けたものである。枠１０の外周上の一箇所（辺の中央部が望ましい）には、この枠１０を掴むための取手１０ｂが形成されている。一方、トレイ７の立壁部７ｂには前記取手１０ｂが嵌まる凹部７ｅが立壁７ｂの各辺に設けられている。
また、枠１１は、前記枠１０と略同形態のものであるが、中央部に設けた正方形の穴１１ａが、ピースａ〜ｃの９個を収めることができる大きさである点で異なるのみである。従って、１１ｂは取手である。
【００２３】
本考案パズルの使い方は、まず、使用する第１〜第３ピースａ〜ｃの枚数によって、枠１０又は枠１１を用いるか、又は、枠１０，１１のいずれおも用いないことを決めてモデル板９を第２トレイ８の舌片状の案内部８ｃにガイドさせてトレイ７の透明な底７ａの下に挿入して位置付ける。モデル板９は使用するピース数に対応したものを選択して用いる。
【００２４】
モデル板９に表示された模様等をトレイ７の透明な底７ａを通して見ながら使用する前記ピースａ〜ｃを選択して、枠１０又は同１１の正方形の穴１０ａ又は１１ａを埋めるか、或は、トレイ７の立壁７ｂが囲んでいる正方形を埋めて、所定の完成模様等を作る。
【００２５】
本考案パズルでは、モデル板９を用いないで枠１０又は同１１若しくは立壁７ｂの使用を選択して前記の各ピースａ〜ｃを用いて完成模様等の形成を楽しむこともできる。
また、トレイ７も用いないで、例えば方眼紙のような用紙や無地の台紙等の平面シート材に各ピースａ〜ｃを選択しながら並べて、所望の完成模様、絵柄、文字等を形成して遊ぶことができる。
【００２６】
本考案パズルは以上の通りであるから、３種類のピースの表，裏に形成された模様等パターンを組合せて様々な模様，絵柄，文字等を形成して遊ぶことができる知育おもちゃとしてきわめて有用である。
【符号の説明】
【００２７】
ａ〜ｃ  本考案パズルに用いる第１〜第３ピース
１〜６  各ピースａ〜ｃに表示された模様パターン
７  トレイ
７ａ  透明な底
７ｂ  立壁
８  第２トレイ
９  モデル板
【図１】
0003194271.tif 000003
【図２】
0003194271.tif 000004
【図３】
0003194271.tif 000005
【図４】
0003194271.tif 000006
【図５】
0003194271.tif 000007
【図６】
0003194271.tif 000008
【図７】
0003194271.tif 000009
【図８】
0003194271.tif 000010
【図９】
0003194271.tif 000011